(57)【要約】  舵のコード長を短くして船尾配置を容易にしながら操縦性能と推進性能を両立させることの可能な、船舶の舵配置構造を提供する。  １つのプロペラと複数の舵を有する船舶の舵配置構造であって、複数の舵の回転軸をプロペラのプロペラ面内に左右非対称に設けて、複数の舵をプロペラのプロペラ面内に左右非対称に配置する。１つのプロペラ１と２つの舵１０，１１を有する船舶において、２つの舵のうち１つの舵１０の回転軸Ａ１０をプロペラ面３内の中央に設け、もう１つの舵１１の回転軸Ａ１１をプロペラ面３内の回転時にプロペラ１が降下する側（右舷Ｓ側）に設ける。【選択図】図１
2017018357.tif 000002
【特許請求の範囲】
【請求項１】
１つのプロペラと複数の舵を有する船舶の舵配置構造であって、前記複数の舵の回転軸を前記プロペラのプロペラ面内に左右非対称に設けて、前記複数の舵を前記プロペラのプロペラ面内に左右非対称に配置したことを特徴とする船舶の舵配置構造。
【請求項２】
前記複数の舵のうち１つの舵の回転軸を前記プロペラ面内の中央に設けたことを特徴とする請求項１に記載の船舶の舵配置構造。
【請求項３】
前記複数の舵のうち前記プロペラ面内の中央に回転軸を設けた舵以外の舵の回転軸を、前記プロペラ面内の左右いずれかの側に設けたことを特徴とする請求項２に記載の船舶の舵配置構造。
【請求項４】
前記複数の舵のうち前記プロペラ面内の中央に回転軸を設けた舵以外の舵の回転軸を、前記プロペラ面内の回転時にプロペラが降下する側に設けたことを特徴とする請求項２に記載の船舶の舵配置構造。
【請求項５】
前記複数の舵のうち１つの舵の回転軸を前記プロペラ面内の左右いずれかの側に中央から間隔を空けて設け、前記複数の舵のうち残りの舵の回転軸を前記プロペラ面内の反対側に中央からより大きな間隔を空けて設けたことを特徴とする請求項１に記載の船舶の舵配置構造。
【請求項６】
前記複数の舵が２つであることを特徴とする請求項１乃至請求項５のうちいずれか１つに記載の船舶の舵配置構造。
【発明の詳細な説明】
【技術分野】
【０００１】
本発明は、船舶の舵配置構造に関するものである。
【背景技術】
【０００２】
従来、図８に示すように、船舶の船体５の船尾部には、プロペラ軸２に取り付けられたプロペラ１、及びラダーホーン４に取り付けられた舵１００が配置されており、舵１００は回転軸Ａを中心に回転するようになっている。ここで、舵の形状要素として船長方向の長さであるコード長があり、図８（ａ）に示す舵１００ａのコード長Ｌ１よりも、図８（ｂ）に示す舵１００ｂのコード長Ｌ２の方が短くなっている。そして、コード長が短い分だけ、図８（ｂ）のプロペラ１の方が図８（ａ）のプロペラ１よりも後方に位置している。【０００３】
一方、プロペラと舵の配置について、１つのプロペラと１つの舵を有する船舶においては、図９に示すように、プロペラ１後方の船体中心線Ｃ上（プロペラ軸２の延長線上）に、舵１００が配置される。図９（ａ）は、プロペラと舵の配置を船体後方から見た図であり、図９（ｂ）は、プロペラと舵の配置を船体上方から見た図である。また、符号３はプロペラ１が回転時に描くプロペラ面を示しており、プロペラ面３の周りの矢印はプロペラ１の回転方向を示している。また、符号Ｐは左舷方向を示しており、符号Ｓは右舷方向を示している。【０００４】
また、プロペラと舵の配置について、１つのプロペラと２つの舵を有する船舶においては、図１０に示すように、プロペラ１後方の船体中心線Ｃ（プロペラ軸２の延長線）から両舷側に向けて等距離（Ｄ１０１＝Ｄ１０２）だけ離れた位置に、舵１０１，１０２が配置される。図１０（ａ）は、プロペラと舵の配置を船体後方から見た図であり、図１０（ｂ）は、プロペラと舵の配置を船体上方から見た図である。また、符号３はプロペラ１が回転時に描くプロペラ面を示しており、プロペラ面３の周りの矢印はプロペラ１の回転方向を示している。また、符号Ｐは左舷方向を示しており、符号Ｓは右舷方向を示している。従って、舵１０１，１０２は、プロペラ１のプロペラ面３内に左右対称に配置された状態になっている。【０００５】
さらに、プロペラと舵の配置について、特許文献１及び特許文献２には、プロペラ後方の船体中心線上に配置された１つの舵とは別に、船体の両舷側にそれぞれ舵を配置した発明が記載されている。【０００６】
また、特許文献３には、左右の舵にひねりを設けて舵自体の形状を左右非対称にすることにより、舵に当たるプロペラ後流による抵抗を減少させて推進性能を向上させるようにした発明が記載されている。
【先行技術文献】
【特許文献】
【０００７】
【特許文献１】実開平４−１０９８号公報
【特許文献２】実開昭６１−１７１６９１号公報
【特許文献３】特開２０１０−９５２３９号公報
【発明の概要】
【発明が解決しようとする課題】
【０００８】
ところで、港湾制限等により船舶の全長が制限されると、プロペラや舵の配置が難しく、また船型や主機の大型化による船尾肥大度が増大すると性能悪化に繋がり、性能の改善が難しいという問題がある。【０００９】
これに対して、図８（ｂ）に示すように、舵のコード長を短くすることができれば、船尾配置が容易になるとともに、船尾肥大度を減少させることができるが、反対に舵の効きが悪化するため操縦性能は低下してしまう。【００１０】
一方、図１０に示す舵１０１，１０２や、特許文献１及び特許文献２に示す船体両舷側に舵を追加したもののように、舵の数を増やすことにより操縦性能を向上させることが考えられるが、舵の数の増加は推進性能の悪化に繋がる。【００１１】
また、特許文献３に記載された発明は、左右の舵自体の形状を左右非対称にすることによる推進性能の向上を目的としたものであって、操縦性能の向上を目的としたものではない。【００１２】
本発明は、上記従来の課題を解決するものであり、舵のコード長を短くして船尾配置を容易にしながら操縦性能と推進性能を両立させることの可能な、船舶の舵配置構造を提供するものである。
【課題を解決するための手段】
【００１３】
上記課題を解決するため、本発明の船舶の舵配置構造は、１つのプロペラと複数の舵を有する船舶の舵配置構造であって、前記複数の舵の回転軸を前記プロペラのプロペラ面内に左右非対称に設けて、前記複数の舵を前記プロペラのプロペラ面内に左右非対称に配置したことを特徴とする。【００１４】
なお、「舵の回転軸をプロペラ面内に設ける」とは、舵の回転軸の左右方向の位置（船体幅方向の位置）を船体後方から見た場合に、プロペラが回転時に描くプロペラ面の左右方向の範囲内に含まれていることをいう。また、「舵の回転軸を左右非対称に設ける」とは、舵の回転軸の左右方向の位置（船体幅方向の位置）を船体後方から見た場合に、プロペラ面中央を基準としたときの左右の舵の回転軸の位置が対称となっていないことをいう。【００１５】
同様に、「舵をプロペラ面内に配置する」とは、舵の左右方向の位置（船体幅方向の位置）を船体後方から見た場合に、プロペラが回転時に描くプロペラ面の左右方向の範囲内に含まれていることをいう。また、「舵を左右非対称に配置する」とは、舵の左右方向の位置（船体幅方向の位置）を船体後方から見た場合に、プロペラ面中央を基準としたときの左右の舵の位置が対称となっていないことをいう。【００１６】
また好ましくは、前記複数の舵のうち１つの舵の回転軸を前記プロペラ面内の中央に設けたことを特徴とする。【００１７】
また好ましくは、前記複数の舵のうち前記プロペラ面内の中央に回転軸を設けた舵以外の舵の回転軸を、前記プロペラ面内の左右いずれかの側に設けたことを特徴とする。【００１８】
また好ましくは、前記複数の舵のうち前記プロペラ面内の中央に回転軸を設けた舵以外の舵の回転軸を、前記プロペラ面内の回転時にプロペラが降下する側に設けたことを特徴とする。【００１９】
また好ましくは、前記複数の舵のうち１つの舵の回転軸を前記プロペラ面内の左右いずれかの側に中央から間隔を空けて設け、前記複数の舵のうち残りの舵の回転軸を前記プロペラ面内の反対側に中央からより大きな間隔を空けて設けたことを特徴とする。【００２０】
また好ましくは、前記複数の舵が２つであることを特徴とする。
【発明の効果】
【００２１】
本発明によれば、１つのプロペラと複数の舵を有する船舶の舵配置構造において、複数の舵の回転軸をプロペラのプロペラ面内に左右非対称に設けることにより、複数の舵をプロペラのプロペラ面内に左右非対称に配置することができるので、１方向に回転するプロペラによるプロペラ後流の整流効果を得ることができる。従って、船尾配置を容易にするために舵のコード長を短くした場合に、１つの舵よりも操縦性能が向上するとともに、複数の舵を左右対称に配置するよりも推進性能が低下しにくい。また、舵のコード長を短くして船尾配置を容易にし、抵抗の小さな細長い船型を設計することができるので、船体自体の推進性能を向上させることができる。【００２２】
また、複数の舵のうち１つの舵の回転軸をプロペラ面内の中央に設けた場合には、複数の舵のうち１つの舵をプロペラ面内の中央に配置して、中央に配置した舵の性能をより引き出すことができる。【００２３】
また、複数の舵のうちプロペラ面内の中央に回転軸を設けた舵以外の舵の回転軸を、プロペラ面内の左右いずれかの側に設けた場合には、複数の舵を容易に左右非対称に配置することができる。【００２４】
また、複数の舵のうちプロペラ面内の中央に回転軸を設けた舵以外の舵の回転軸を、プロペラ面内の回転時にプロペラが降下する側に設けた場合には、１方向に回転するプロペラによるプロペラ後流の整流効果を高めることができ、操縦性能と推進性能を高いレベルで両立させることができる。【００２５】
また、複数の舵のうち１つの舵の回転軸をプロペラ面内の左右いずれかの側に中央から間隔を空けて設け、複数の舵のうち残りの舵の回転軸をプロペラ面内の反対側に中央からより大きな間隔を空けて設けた場合には、中央に舵を配置しない場合であっても、複数の舵を容易に左右非対称に配置することができる。【００２６】
また、複数の舵を２つとした場合には、舵の数が少ないため構造をあまり複雑化させることなく、左右非対称に配置することができる。【００２７】
以上、本発明によれば、舵のコード長を短くして船尾配置を容易にしながら操縦性能と推進性能を両立させることの可能な、船舶の舵配置構造を提供することができる。
【図面の簡単な説明】
【００２８】
【図１】本発明の実施形態１に係る船舶の舵配置構造を示す図である。
【図２】実施形態２に係る船舶の舵配置構造を示す図である。
【図３】実施形態３に係る船舶の舵配置構造を示す図である。
【図４】実施形態４に係る船舶の舵配置構造を示す図である。
【図５】実施形態５に係る船舶の舵配置構造を示す図である。
【図６】実施形態６に係る船舶の舵配置構造を示す図である。
【図７】実施例及び比較例における船舶の舵配置構造を示す図である。
【図８】船舶の船尾部分を示す側面図である。
【図９】従来例に係る船舶の舵配置構造を示す図である。
【図１０】従来例に係る船舶の舵配置構造を示す図である。
【発明を実施するための形態】
【００２９】
次に、図１乃至図６を参照して、本発明の実施形態に係る船舶の舵配置構造について説明する。まず、以下の実施形態１乃至実施形態６において共通する事項について説明する。
【００３０】
以下の実施形態は、図８に示す船舶の船体５の船尾部に配置されたプロペラ１と舵１００との配置構造についてのものである。そして、図８（ａ）のようなコード長の長い舵１００ａに対して、図８（ｂ）のようなコード長の短い舵１００ｂを用いることにより、船尾配置を容易にしながら、かつその操縦性能と推進性能を両立させるものである。なお、図８では舵は１つしか記載されていないが、以下の実施形態は、１つのプロペラに対して複数の舵を配置するものである。
【００３１】
また、図１乃至図６の各々において、（ａ）は、プロペラと舵の配置を船体後方から見た図であり、（ｂ）は、プロペラと舵の配置を船体上方から見た図である。また、符号３はプロペラ１が回転時に描くプロペラ面を示しており、プロペラ面３の周りの矢印はプロペラ１の回転方向を示している。また、符号Ｐは左舷方向を示しており、符号Ｓは右舷方向を示している。また、符号Ａは各々の舵の回転軸を示している。そして、各々の舵の左右方向の位置（船体幅方向の位置）は、回転軸Ａを左右方向のどこに設けるかによって決定される。
【００３２】
なお、各図面は舵を配置する位置を説明することを目的としており、簡素化のために舵の形状を四角形状としているが、実際に実施する場合には流線形等の形状とすることが可能であることはもちろんである。また、本実施形態では、複数の舵の形状、大きさは同一とし、連動して動くものとする。
【００３３】
図１は、実施形態１に係る船舶の舵配置構造を示す図である。プロペラ１の後方には、２つの舵１０，１１が配置されている。舵１０，１１は、それぞれ回転軸Ａ１０，Ａ１１を中心に回転するように、ラダーホーン４，４に取り付けられている。２つの回転軸Ａ１０，Ａ１１はいずれも、左右方向（左舷Ｐ方向及び右舷Ｓ方向）において、プロペラ１のプロペラ面３内に設けられている。２つの回転軸Ａ１０，Ａ１１のうち、１つの回転軸Ａ１０はプロペラ面３内の左右方向の中央（プロペラ１後方の船体中心線Ｃ上）に設けられている。そして、もう１つの回転軸Ａ１１は、プロペラ面３内の右側（右舷Ｓ側）に、回転軸Ａ１０との間に間隔Ｄ１１を空けて設けられている。２つの回転軸Ａ１０，Ａ１１は、プロペラ面３内において左右非対称に設けられている。なお、プロペラ１の回転方向から明らかなように、回転軸Ａ１１が設けられた右舷Ｓ側は、プロペラ１の回転時にプロペラ１が降下する側である。
【００３４】
このように、２つの回転軸Ａ１０，Ａ１１をプロペラ面３内に左右非対称に設けることにより、舵１０，１１がプロペラ面３内に左右非対称に配置されている。
【００３５】
図２は、実施形態２に係る船舶の舵配置構造を示す図である。プロペラ１の後方には、２つの舵２０，２１が配置されている。舵２０，２１は、それぞれ回転軸Ａ２０，Ａ２１を中心に回転するように、ラダーホーン４，４に取り付けられている。２つの回転軸Ａ２０，Ａ２１はいずれも、左右方向（左舷Ｐ方向及び右舷Ｓ方向）において、プロペラ１のプロペラ面３内に設けられている。２つの回転軸Ａ２０，Ａ２１のうち、１つの回転軸Ａ２０はプロペラ面３内の左右方向の中央（プロペラ１後方の船体中心線Ｃ上）に設けられている。そして、もう１つの回転軸Ａ２１は、プロペラ面３内の右側（右舷Ｓ側）に、回転軸Ａ２０との間に間隔Ｄ２１を空けて設けられている。２つの回転軸Ａ２０，Ａ２１は、プロペラ面３内において左右非対称に設けられている。なお、プロペラ１の回転方向から明らかなように、回転軸Ａ２１が設けられた右舷Ｓ側は、プロペラ１の回転時にプロペラ１が降下する側である。また、実施形態２における回転軸Ａ２１は、実施形態１における回転軸Ａ１１よりも右舷Ｓ側に寄って配置されている（Ｄ１１＜Ｄ２１）。
【００３６】
このように、２つの回転軸Ａ２０，Ａ２１をプロペラ面３内に左右非対称に設けることにより、舵２０，２１がプロペラ面３内に左右非対称に配置されている。
【００３７】
図３は、実施形態３に係る船舶の舵配置構造を示す図である。プロペラ１の後方には、３つの舵３０，３１，３２が配置されている。舵３０，３１，３２は、それぞれ回転軸Ａ３０，Ａ３１，Ａ３２を中心に回転するように、ラダーホーン４，４，４に取り付けられている。３つの回転軸Ａ３０，Ａ３１，Ａ３２はいずれも、左右方向（左舷Ｐ方向及び右舷Ｓ方向）において、プロペラ１のプロペラ面３内に設けられている。３つの回転軸Ａ３０，Ａ３１，Ａ３２のうち、１つの回転軸Ａ３０はプロペラ面３内の左右方向の中央（プロペラ１後方の船体中心線Ｃ上）に設けられている。そして、残りのうち１つの回転軸Ａ３１は、プロペラ面３内の右側（右舷Ｓ側）に、回転軸Ａ３０との間に間隔Ｄ３１を空けて設けられている。またもう１つの回転軸Ａ３２は、プロペラ面３内の右側（右舷Ｓ側）に、回転軸Ａ３０との間に間隔Ｄ３２を空けて設けられている。３つの回転軸Ａ３０，Ａ３１，Ａ３２は、プロペラ面３内において左右非対称に設けられている。なお、プロペラ１の回転方向から明らかなように、回転軸Ａ３１，Ａ３２が設けられた右舷Ｓ側は、プロペラ１の回転時にプロペラ１が降下する側である。
【００３８】
このように、３つの回転軸Ａ３０，Ａ３１，Ａ３２をプロペラ面３内に左右非対称に設けることにより、舵３０，３１，３２がプロペラ面３内に左右非対称に配置されている。
【００３９】
図４は、実施形態４に係る船舶の舵配置構造を示す図である。プロペラ１の後方には、３つの舵４０，４１，４２が配置されている。舵４０，４１，４２は、それぞれ回転軸Ａ４０，Ａ４１，Ａ４２を中心に回転するように、ラダーホーン４，４，４に取り付けられている。３つの回転軸Ａ４０，Ａ４１，Ａ４２はいずれも、左右方向（左舷Ｐ方向及び右舷Ｓ方向）において、プロペラ１のプロペラ面３内に設けられている。３つの舵のうち、１つの回転軸Ａ４０はプロペラ面３内の左右方向の中央（プロペラ１後方の船体中心線Ｃ上）に設けられている。そして、残りのうち１つの回転軸Ａ４１は、プロペラ面３内の右側（右舷Ｓ側）に、回転軸Ａ４０との間に間隔Ｄ４１を空けて設けられている。またもう１つの回転軸Ａ４２は、プロペラ面３内の左側（左舷Ｐ側）に、回転軸Ａ４０との間に間隔Ｄ４２を空けて設けられている。間隔Ｄ４１＞間隔Ｄ４２であり、３つの回転軸Ａ４０，Ａ４１，Ａ４２は、プロペラ面３内において左右非対称に設けられている。
【００４０】
このように、３つの回転軸Ａ４０，Ａ４１，Ａ４２をプロペラ面３内に左右非対称に設けることにより、舵４０，４１，４２がプロペラ面３内に左右非対称に配置されている。
【００４１】
図５は、実施形態５に係る船舶の舵配置構造を示す図である。プロペラ１の後方には、２つの舵５１，５２が配置されている。舵５１，５２は、それぞれ回転軸Ａ５１，Ａ５２を中心に回転するように、ラダーホーン４，４に取り付けられている。２つの回転軸Ａ５１，Ａ５２はいずれも、左右方向（左舷Ｐ方向及び右舷Ｓ方向）において、プロペラ１のプロペラ面３内に設けられている。実施形態５においては、プロペラ面３内の左右方向の中央（プロペラ１後方の船体中心線Ｃ上）に回転軸は設けられていない。そして２つの回転軸Ａ５１，Ａ５２のうち、１つの回転軸Ａ５１は、プロペラ面３内の右側（右舷Ｓ側）に、左右方向の中央（プロペラ１後方の船体中心線Ｃ上）との間に間隔Ｄ５１を空けて設けられている。またもう１つの回転軸Ａ５２は、プロペラ面３内の左側（左舷Ｐ側）に、左右方向の中央（プロペラ１後方の船体中心線Ｃ上）との間に間隔Ｄ５２を空けて設けられている。間隔Ｄ５１＞間隔Ｄ５２であり、２つの回転軸Ａ５１，Ａ５２は、プロペラ面３内において左右非対称に設けられている。すなわち、回転軸Ａ５１は、プロペラ面３内の回転軸Ａ５２とは反対側に、中央からより大きな間隔を空けて設けられている。なお、左右の間隔を逆にして、間隔Ｄ５１＜間隔Ｄ５２となるように設けることもできる。
【００４２】
このように、２つの回転軸Ａ５１，Ａ５２をプロペラ面３内に左右非対称に設けることにより、舵５１，５２がプロペラ面３内に左右非対称に配置されている。
【００４３】
図６は、実施形態６に係る船舶の舵配置構造を示す図である。プロペラ１の後方には、２つの舵６０，６１が配置されている。舵６０，６１は、それぞれ回転軸Ａ６０，Ａ６１を中心に回転するように、ラダーホーン４，４に取り付けられている。２つの回転軸Ａ６０，Ａ６１はいずれも、左右方向（左舷Ｐ方向及び右舷Ｓ方向）において、プロペラ１のプロペラ面３内に設けられている。２つの回転軸Ａ６０，Ａ６１のうち、１つの回転軸Ａ６０はプロペラ面３内の左右方向の中央（プロペラ１後方の船体中心線Ｃ上）に設けられている。そして、もう１つの回転軸Ａ６１は、プロペラ面３内の左側（左舷Ｐ側）に、回転軸Ａ６０との間に間隔Ｄ６１を空けて設けられている。２つの回転軸Ａ６０，Ａ６１は、プロペラ面３内において左右非対称に設けられている。なお、プロペラ１の回転方向から明らかなように、回転軸Ａ６１が設けられた左舷Ｐ側は、プロペラ１の回転時にプロペラ１が上昇する側である。
【００４４】
このように、２つの回転軸Ａ６０，Ａ６１をプロペラ面３内に左右非対称に設けることにより、舵６０，６１がプロペラ面３内に左右非対称に配置されている。
【００４５】
次に、上記実施形態における作用効果について説明する。実施形態１乃至実施形態６は、いずれも１つのプロペラ１と複数の舵を有する船舶の舵配置構造において、複数の舵の回転軸をプロペラ１のプロペラ面３内に左右非対称に設けることにより、複数の舵をプロペラ１のプロペラ面３内に左右非対称に配置したものである。プロペラ１の回転方向は１方向であるため、プロペラ１によるプロペラ後流に対して整流効果を得るためには、従来のような左右対称の舵配置構造ではなく、本実施形態のような左右非対称の舵配置構造が適している。
【００４６】
実施形態１乃至６に係る船舶の舵配置構造によれば、１方向に回転するプロペラ１によるプロペラ後流の整流効果を得ることができる。従って、船尾配置を容易にするために舵のコード長を短くした場合に、１つの舵よりも操縦性能が向上するとともに、複数の舵を左右対称に配置するよりも推進性能が低下しにくい。また、舵のコード長を短くして船尾配置を容易にし、抵抗の小さな細長い船型を設計することができるので、船体自体の推進性能を向上させることができる。
【００４７】
また、実施形態１，２，３，４，６に係る船舶の舵配置構造によれば、複数の舵のうち１つの舵の回転軸をプロペラ面３内の中央に設けることにより、複数の舵のうち１つの舵をプロペラ３面内の中央に配置して、中央に配置した舵の性能をより引き出すことができる。
【００４８】
また、実施形態１，２，３，６に係る船舶の舵配置構造によれば、複数の舵のうちプロペラ面３内の中央に回転軸を設けた舵以外の舵の回転軸を、プロペラ面３内の左右いずれかの側に設けることにより、複数の舵を容易に左右非対称に配置することができる。
【００４９】
また、実施形態１，２，３に係る船舶の舵配置構造によれば、複数の舵のうちプロペラ面３内の中央に回転軸を設けた舵以外の舵の回転軸を、プロペラ面３内の回転時にプロペラ１が降下する側に設けることにより、１方向に回転するプロペラ１によるプロペラ後流の整流効果を高めることができ、操縦性能と推進性能を高いレベルで両立させることができる。
【００５０】
また、実施形態５に係る船舶の舵配置構造によれば、複数の舵のうち１つの舵の回転軸をプロペラ３面内の左右いずれかの側に中央から間隔を空けて設け、複数の舵のうち残りの舵の回転軸をプロペラ面内の反対側に中央からより大きな間隔を空けて設けることにより、中央に舵を配置しない場合であっても、複数の舵を容易に左右非対称に配置することができる。
【００５１】
また、実施形態１，２，６に係る船舶の舵配置構造によれば、複数の舵を２つとすることにより、舵の数が少ないため構造をあまり複雑化させることなく、左右非対称に配置することができる。
【００５２】
以上、本実施形態に係る船舶の舵配置構造によれば、舵のコード長を短くして船尾配置を容易にしながら操縦性能と推進性能を両立させることの可能な、船舶の舵配置構造を提供することができる。
【実施例】
【００５３】
プロペラ後方の舵配置による影響を調べるため、回流水槽における抵抗・自航試験を実施し、推進性能を評価した。図７は、実施例及び比較例における船舶の舵配置構造を示す図である。【００５４】
（実施例１）
図７（ａ）に示すように、プロペラ後方のプロペラ面３内に、２つの舵１０，１１を配置した。２つの舵のうち、１つの舵１０（回転軸Ａ１０）はプロペラ面３内の左右方向の中央（プロペラ１後方の船体中心線Ｃ上）に配置し、もう１つの舵１１（回転軸Ａ１１）は、プロペラ面３内の右側（右舷Ｓ側）に、舵１０（回転軸Ａ１０）との間に間隔Ｄ１１を空けて配置した。
Ｄ１１＝プロペラ面３の直径×０．２１１【００５５】
（実施例２）
図７（ｂ）に示すように、プロペラ後方のプロペラ面３内に、２つの舵６０，６１を配置した。２つの舵のうち、１つの舵６０（回転軸Ａ６０）はプロペラ面３内の左右方向の中央（プロペラ１後方の船体中心線Ｃ上）に配置し、もう１つの舵６１（回転軸Ａ６０）は、プロペラ面３内の左側（左舷Ｐ側）に、舵６０（回転軸Ａ１０）との間に間隔Ｄ６１を空けて配置した。
Ｄ６１＝プロペラ面３の直径×０．２１１【００５６】
（比較例１）
図７（ｃ）に示すように、プロペラ後方のプロペラ面３内に、２つの舵１０１，１０２を配置した。２つの舵のうち、１つの舵１０１（回転軸Ａ１０１）は、プロペラ面３内の右側（右舷Ｓ側）に、左右方向の中央（プロペラ１後方の船体中心線Ｃ上）との間に間隔Ｄ１０１を空けて配置した。またもう１つの舵１０２（回転軸Ａ１０２）は、プロペラ面３内の左側（左舷Ｐ側）に、左右方向の中央（プロペラ１後方の船体中心線Ｃ上）との間に間隔Ｄ１０２を空けて配置した。間隔Ｄ１０１＝間隔Ｄ１０２である。
Ｄ１０１＝Ｄ１０２＝プロペラ面３の直径×０．２１１【００５７】
（比較例２）
図７（ｄ）に示すように、プロペラ後方のプロペラ面３内に、２つの舵２０１，２０２を配置した。２つの舵のうち、１つの舵２０１（回転軸Ａ２０１）は、プロペラ面３内の右側（右舷Ｓ側）に、左右方向の中央（プロペラ１後方の船体中心線Ｃ上）との間に間隔Ｄ２０１を空けて配置した。またもう１つの舵２０２（回転軸Ａ２０２）は、プロペラ面３内の左側（左舷Ｐ側）に、左右方向の中央（プロペラ１後方の船体中心線Ｃ上）との間に間隔Ｄ２０２を空けて配置した。間隔Ｄ２０１＝間隔Ｄ２０２である。
Ｄ２０１＝Ｄ２０２＝プロペラ面３の直径×０．１４１【００５８】
以上４つの舵配置について、比較例１を基準として、ＢＨＰ（馬力）ベースの推進性能改善効果を測定した。測定結果を表１に示す。【００５９】
【表１】
2017018357.tif 000003
【００６０】
基準とした比較例１に対して、実施例１において約５．２％の改善効果が確認された。また、実施例２においても約３．６％の改善効果が確認された。これは、左右非対称の舵配置により推力減少率・伴流係数の自航要素が改善されたものである。また、右回転プロペラに対しては、１つの舵を右舷Ｓ側に配置した方が推進性能に優れていることが確認された。【００６１】
なお、基準とした比較例１に対して、２つの舵を中央部に寄せた比較例２において約４．５％の改善効果が確認された。このように、２つの舵を左右対称に配置する場合には２つの舵を中央に寄せることで伴流効果が改善する傾向がある。従って、プロペラ面内に２つの舵を非対称に配置する場合においても、２つの舵の間隔を近づける方が、より推進性能を向上させることができるものと考えられる。【００６２】
以上、本発明の実施形態に係る船舶の舵配置構造について説明したが、本発明は上述した実施の形態に限定されるわけではなく、その他種々の変更が可能である。【００６３】
例えば、上記実施形態では、複数の舵の大きさ、形状を同一としたが、異なる大きさやや形状としてもよい。【００６４】
また、複数の舵を連動して動くようにしたが、独立して動くようにしてもよい。【００６５】
また、プロペラの回転方向を船体後方から見て右回りとしたが、左回りであってもよい。【００６６】
また、複数の舵の数は４つ以上であってもよい。【００６７】
また、プロペラ面の外側あるいはプロペラの前方に別の舵が追加配置されてもよい。【００６８】
なお、本発明における「左右非対称」とは、舵の回転軸を基準とした舵の配置が左右非対称であることを意味するものであって、左右の舵自体の形状が左右非対称であることを意味するものではない。ただし、舵の回転軸を基準にした舵の配置が左右非対称でさえあれば、左右の舵自体の形状が左右非対称であっても差し支えない。
【符号の説明】
【００６９】
１  プロペラ
２  プロペラ軸
３  プロペラ面
４  ラダーホーン
５  船体
１０  舵
１１  舵
２０  舵
２１  舵
３０  舵
３１  舵
３２  舵
４０  舵
４１  舵
４２  舵
５１  舵
５２  舵
６０  舵
６１  舵
１００  舵
１０１  舵
１０２  舵
２０１  舵
２０２  舵
Ａ  回転軸
【図１】
2017018357.tif 000004
【図２】
2017018357.tif 000005
【図３】
2017018357.tif 000006
【図４】
2017018357.tif 000007
【図５】
2017018357.tif 000008
【図６】
2017018357.tif 000009
【図７】
2017018357.tif 000010
【図８】
2017018357.tif 000011
【図９】
2017018357.tif 000012
【図１０】
2017018357.tif 000013
【国際調査報告】
2017018357.tif 000014
2017018357.tif 000015
2017018357.tif 000016
2017018357.tif 000017